(57)【要約】【課題】低コストでありながら作業熟練度を必要としない簡便な壁材固定装置を提供する。【解決手段】本考案の壁材固定装置は、壁面に取り付けられている壁材の固定を行う壁材固定装置であって、前記壁材から前記壁面内部に到達する挿入孔に挿入されると共に、変形性を有する素材で形成されて内部空間を有する固定部材と、前記内部空間に、挿入されて、前記固定部材と結合する挿入部材と、を備え、前記固定部材の前記内部空間において、前方における内径が、入り口における内径よりも小さい、もしくは前記固定部材の前方における外周が、入り口における外周よりも大きく、前記内部空間に、前記挿入部材が挿入されることで、前記固定部材の外周が拡張する。【選択図】図２
0003204637.tif 000002
【実用新案登録請求の範囲】
【請求項１】
壁面に取り付けられている壁材の固定を行う壁材固定装置であって、
前記壁材から前記壁面内部に到達する挿入孔に挿入されると共に、変形性を有する素材で形成されて内部空間を有する固定部材と、
前記内部空間に、挿入されて、前記固定部材と結合する挿入部材と、を備え、
前記固定部材の前記内部空間において、前方における内径が、入り口における内径よりも小さい、もしくは前記固定部材の前方における外周が、入り口における外周よりも大きく、
前記内部空間に、前記挿入部材が挿入されることで、前記固定部材の外周が拡張する、壁材固定装置。
【請求項２】
前記固定部材の前方側における前記内部空間の内径は、前記固定部材の後方側における内部空間の内径よりも小さい、請求項１記載の壁材固定装置。
【請求項３】
前記固定部材は、その先端から第１領域、第２領域、第ｎ領域を有しており、前記内部空間の内径は、第１領域  ＜  第２領域  ＜  第ｎ領域の関係を有している、請求項１記載の壁材固定装置。
【請求項４】
前記内部空間の内径は、入り口を除いて、前記挿入部材の直径未満である、請求項１から３のいずれか記載の壁材固定装置。
【請求項５】
前記内部空間に前記挿入部材が挿入されることで、前記内部空間が押し広げられて前記固定部材の外周が拡張し、
拡張した前記固定部材の外周が、前記挿入孔の内周に圧力を付与する、請求項４記載の壁材固定装置。
【請求項６】
前記内部空間に挿入された前記挿入部材は、前記挿入孔に密着した前記固定部材からの内圧を受けて、前記内部空間において固定される、請求項５記載の壁材固定装置。
【請求項７】
前記挿入部材は、ビス、ねじおよび釘の少なくとも一つである、請求項１から６のいずれか記載の壁材固定装置。
【請求項８】
前記挿入部材が前記内部空間に挿入されて、前記固定部材の外周が拡張する場合での拡張度合は、
前記第１領域  ＞  前記第２領域  ＞  前記第ｎ領域
である、請求項３から７のいずれか記載の壁材固定装置。
【請求項９】
前記第１領域において、前記固定部材は、その外周に前記挿入孔内部に食い込み可能な突起を備える、請求項３から８のいずれか記載の壁材固定装置。
【請求項１０】
前記第２領域〜前記第ｎ領域の少なくとも一部において、前記固定部材は、その外周において前記挿入孔の内周に密着可能な弾力性のある外周材を備える、請求項３から９のいずれか記載の壁材固定装置。
【請求項１１】
前記挿入孔の内周に密着した前記外周材は、前記挿入孔への水分の浸入を防止可能である、請求項１０記載の壁材固定装置。
【請求項１２】
前記挿入孔の入り口をふさぐ蓋を更に備える、請求項１から１１のいずれか記載の壁材固定装置。
【請求項１３】
前記挿入部材は、尖った先端を有し、前記内部空間に挿入される際に、前記先端が固定部材の先端から突き抜けて、壁面に固定される、請求項１から１２のいずれか記載の壁材固定装置。
【請求項１４】
前記挿入孔の奥と前記固定部材との間に、前記挿入部材によっては再可能であって、接着剤を収容する接着剤カプセルを、更に備える、請求項１から１３のいずれか記載の壁材固定装置。
【考案の詳細な説明】
【技術分野】
【０００１】
本考案は、時間が経過して劣化することによって、壁面から浮いたり剥離しかかったりしている壁材を、壁面に再度固定する壁材固定装置であって、作業者の熟練度に係らず確実に固定作業を行える壁材固定装置に関する。
【背景技術】
【０００２】
我が国を始め、世界中には多くの建造物がある。集合住宅やビルなどの建造物は、その壁面にタイルやセラミックなどの壁材を備えている。これらの壁材は、タイルなどに代表されるように、複数の壁材として、壁面に取り付けられている。例えば、これらの壁材は、セメントや接着剤によって壁面に固定されている。
【０００３】
しかしながら、これら複数の壁材は、固定されてからの時間経過によって、固定が弱まったり、衝撃などを起因としたりして、壁面から浮いた状態になったり剥離しかかったりすることがある。特に、集合住宅やビルなどには、多量の壁材が取り付けられており、風雨にさらされたり日光にさらされたりすることで、複数の壁材の一部やいずれかが浮いたり剥離しかかったりすることがある。
【０００４】
このように、浮いたり剥離しかかったりしている壁材を放置することは、壁材の落下に繋がることになり非常に危険である。このため、浮いている壁材を固定することが行われている。この固定には、様々なやり方があるが、例えば、浮いている壁材に孔を開け（壁面にまで孔を貫通させる）、この孔にボルトなどを挿入して、壁材が固定される。
【０００５】
このような壁材に穿孔した後で、ボルトなどで固定する固定装置や固定方法については、種々の技術が提案されている。その中でも、例えば、浮きのある壁材に孔を開け、この孔の中にグリスガンなどで接着剤を注入して、アンカーピンを接着剤で固定して壁材を固定する技術が提案されている（例えば、特許文献１、特許文献２参照）。
【０００６】
特許文献１、２に開示される技術は、上述のように接着剤を用いて壁材を貫通するアンカーピンを固定することで、浮きのある壁材を固定する。
【０００７】
また、接着剤を用いるのではなく、その他の方法で浮きのある壁材を固定する技術も提案されている（例えば、特許文献３、特許文献４、特許文献５、特許文献６参照）。
【先行技術文献】
【特許文献】
【０００８】
【特許文献１】特開２００６−２１９９７０公報
【特許文献２】特開２００７−１２０２７３号公報
【特許文献３】特開２００４−２９３１７８号公報
【特許文献４】特開平９−３１７１９９号公報
【特許文献５】特許３０５９１１９号公報
【特許文献６】特開平５−１８０８８号公報
【考案の概要】
【考案が解決しようとする課題】
【０００９】
特許文献１および特許文献２に開示される技術は、接着剤を注入して、アンカーピンを固定する必要を有している。接着剤による固定により、アンカーピンの固定力が上がり同時に壁材の固定力も上がるメリットがある。
【００１０】
しかしながら、これらの固定装置や固定方法は、（１）穿孔、（２）接着剤の注入、（３）ボルトやアンカーの挿入、（４）固定、という手順に沿って作業する必要があり、作業者にとっては非常に煩雑である。特に、（２）の接着剤の注入では、孔の中に均等に接着剤が行き渡らないこともあり、作業には熟練を要したり、熟練者で無い場合には、仕上がりに不具合が生じたりする。
【００１１】
例えば、接着剤の注入において、孔の奥や途中に気泡や注入不足が生じることもある。注入不足が生じると、当然ながらアンカーやボルトの固定力が弱まる。このような注入不足を恐れて、孔の中に接着剤を入れすぎてしまう場合には、アンカーやボルトの挿入後に、壁材の表面に接着剤があふれてしまい、仕上がりの外観に悪影響をもたらす。
【００１２】
特に、接着剤を注入する必要があるこれらの従来技術では、いわゆる液状のものを扱う必要があり、十分に注入できるか、液だれを発生させないか、乾燥する前に注入を終えることができるか、といった熟練の技術が必要とされる。また、これらが不十分であれば、壁材の固定も不十分となってしまう問題にもつながる。
【００１３】
いわゆる、液状である接着剤などを用いる「湿式」での壁材の固定は、作業精度のばらつきが生じてしまう問題を有している。
【００１４】
また、一つの壁材に対する（１）〜（４）の作業を仕上げてから、別の壁材に対する（１）〜（４）の作業を仕上げる場合には、穿孔機械、接着剤の注入機器、アンカー挿入工具、アンカー固定工具と、作業手順に応じた工具を繰り返し取り替えなければならない。一方、複数の壁材のそれぞれに対して、（１）の作業、（２）の作業、（３）の作業、（４）の作業をまとめて行う場合には、工具の取替え回数は減少するが、孔に注入した接着剤が乾いてしまうなどの問題が生じる。これは、特許文献４に開示される接着剤の注入装置を用いる場合でも生じる問題である（あるいは、特許文献４に開示される接着剤の注入装置であっても、接着剤の注入量が多すぎたり少なすぎたりといった、作業ミスが生じることは回避困難である）。
【００１５】
このように、（２）の接着剤の注入を主として、従来技術の固定装置や固定方法は、作業者の熟練を要するといった問題を有している。
【００１６】
一方で、現在我が国だけでも多数の集合住宅やビルが存在し、かなりの数の建造物が経年劣化を生じさせている。このため、多くの建造物において、タイルなどの壁材の浮きや剥離が問題視されている。放置すれば重大な事故が起こりかねないからである。にもかかわらず、これらの浮きや剥離をしている壁材の補修にかけられる予算や人材が不足している現状がある。このような環境では、熟練作業者へ補修作業を依頼することが難しく、作業者の熟練度の成長を待っている時間もない。
【００１７】
すなわち、低コストで作業が可能である非熟練作業者であっても、＜１＞容易に作業が可能であり、＜２＞作業能力による作業結果にばらつきがない作業が可能であり、＜３＞一度の作業で大量の壁材の補修を可能とする、＜４＞作業の仕上がりに不具合が無い、浮きや剥離のある壁材の固定装置や固定方法が求められている。
【００１８】
特許文献３も、特許文献１および特許文献２と同様に、湿式であって、樹脂を必要としてアンカーピンを固定する。このため、特許文献１、２と同様に、接着剤の注入における職人の熟練度を必要とする問題や、熟練度を必要とすることで、作業が遅れたり、作業結果にばらつきが生じたりする問題を有している。
【００１９】
特許文献４は、前方が開いたアンカーピンとワッシャーとの組み合わせを、壁材に穿孔された孔に挿入することで、壁材を固定する技術を開示する。アンカーピンの前方が挿入された孔の中で拡張することで、壁材を固定する技術が開示されている。特許文献４は、特許文献１などのように樹脂などの挿入を必要としないので、樹脂注入に必要となる職人の技能を必要としないメリットを有している。
【００２０】
しかしながら、アンカーピンの拡張だけでしかないので、孔の中で拡張しても、その拡張が不十分であったり、拡張した後の周囲への圧力付与が不足したりする問題もありえる。この場合には、樹脂による硬化固定が無いことも加わって、十分に浮いた壁材を固定できない問題を有している。
【００２１】
特許文献５は、内部に挿入孔と前方にスリットのある固定部材と、この挿入孔に挿入される芯棒の組み合わせによって、タイル等を外部から固定する技術を開示する。芯棒が挿入されることで、固定部材の前方が拡張して、タイル等を固定することができる。この点では、アンカーピンのみが拡張する特許文献４に比較して、挿入した孔の中での拡張が確実に行われやすくなり、壁材の固定を行えるとも考えられる。
【００２２】
しかしながら、特許文献５に開示される固定部材と芯棒は、孔の空いた固定部材の内部に芯棒を挿入するだけであるので、芯棒と固定部材同士の固定力と接合力がほとんどない。このため、挿入孔に固定部材と芯棒を挿入して、固定部材が拡張しても、芯棒が固定部材から抜けてしまったり、浮いてしまったりなどの問題を生じさせる。こうなると、固定部材は十分に拡張できなかったり、拡張状態を維持できなかったりして、固定力が不十分となる。また、芯棒を単に挿入するだけであるので、固定部材や芯棒の製造ばらつきによっては、十分な拡張ができず、浮いた壁材を固定できない問題もある。
【００２３】
特許文献６は、他の技術と異なり、Ｌ字型の金具などの複雑な構造を用いて、壁材を固定する。当然に固定力は高いが、外観の問題を生じさせたり、作業の手間が更に大きくなったりする問題もある。このため、現実的な解決策ではない。
【００２４】
また、従来技術での固定方法では、穿った孔の一部が開口されるので、そこから雨水などの水分が進入して、壁材や内部の構造体を腐食させるなどの問題もあった。
【００２５】
本考案は、これらの問題を解決し、低コストでありながら作業熟練度を必要としない簡便な作業に対応できる壁材固定装置を提供することを目的とする。
【課題を解決するための手段】
【００２６】
上記課題に鑑み、本考案の壁材固定装置は、壁面に取り付けられている壁材の固定を行う壁材固定装置であって、
壁材から壁面内部に到達する挿入孔に挿入されると共に、変形性を有する素材で形成されて内部空間を有する固定部材と、
内部空間に、挿入されて、固定部材と結合する挿入部材と、を備え、
固定部材の内部空間において、前方における内径が、入り口における内径よりも小さい、もしくは固定部材の前方における外周が、入り口における外周よりも大きく、
内部空間に、挿入部材が挿入されることで、固定部材の外周が拡張する。
【考案の効果】
【００２７】
本考案の壁材固定装置は、穿孔されてできて孔に、固定部材と挿入部材を挿入するだけで壁材を固定できる。このため、手順が簡便であり、作業速度を向上させつつ、作業における熟練度を必要としないメリットがある。また、接着剤などの液状の素材を注入する必要もないので、作業精度にばらつきが出にくいメリットがある。
【００２８】
また、本考案の壁材固定装置は、穿孔した孔の外周が塞がれるので、雨水などの水分が孔の中に浸入することを防止できる。この防止により、壁在やその内部の構造体が水分による腐食を受けにくい。
【００２９】
これらの結果、熟練作業者を必要とせず、簡便でありながら高い精度で、脱落の危険性のある壁材を、内部の構造体に固定することができる。結果として、住宅棟の外壁の改修を行うことができる。
【図面の簡単な説明】
【００３０】
【図１】本考案の実施の形態１における建造物の外壁の模式図である。
【図２】本考案の実施の形態１における壁材固定装置の固定作業を示す模式図である。
【図３】本考案の実施の形態１における壁材固定装置１０の側面図である。
【図４】本考案の実施の形態１における壁材固定装置の側面図である。
【図５】本考案の実施の形態１における固定後の壁材固定装置の側面図である。
【図６】本考案の実施の形態１における壁材固定装置の側面図である。
【図７】本考案の実施の形態１における壁面に固定された壁材固定装置の側面図である。
【図８】本考案の実施の形態２における壁材固定装置の側面図である。
【図９】本考案の実施の形態２における壁材固定方法の手順を示すフローチャートである。
【考案を実施するための形態】
【００３１】
本考案の第１の考案に係る壁材固定装置は、壁面に取り付けられている壁材の固定を行う壁材固定装置であって、
壁材から壁面内部に到達する挿入孔に挿入されると共に、変形性を有する素材で形成されて内部空間を有する固定部材と、
内部空間に、挿入されて、固定部材と結合する挿入部材と、を備え、
固定部材の内部空間において、前方における内径が、入り口における内径よりも小さい、もしくは固定部材の前方における外周が、入り口における外周よりも大きく、
内部空間に、挿入部材が挿入されることで、固定部材の外周が拡張する。
【００３２】
この構成により、壁材固定装置は、樹脂や接着剤などの注入を不要とできる。この結果、作業者の熟練を不要とでき、作業効率を向上させることができる。
【００３３】
本考案の第２の考案に係る壁材固定装置では、第１の考案に加えて、固定部材の前方側における内部空間の内径は、固定部材の後方側における内部空間の内径よりも小さい。
【００３４】
この構成により、固定部材の先端がより大きく拡張し、固定部材が挿入孔内部で強く固定される。
【００３５】
本考案の第３の考案に係る壁材固定装置では、第１の考案に加えて、固定部材は、その先端から第１領域、第２領域、第ｎ領域を有しており、内部空間の内径は、第１領域  ＜  第２領域  ＜  第ｎ領域の関係を有している。
【００３６】
この構成により、固定部材の先端（挿入孔の奥）に行くにつれてより高い固定力を生じさせて、壁材の壁面への固定力を高めることができる。
【００３７】
本考案の第４の考案に係る壁材固定装置では、第１から第３のいずれかの考案に加えて、内部空間の内径は、入り口を除いて、挿入部材の直径未満である。
【００３８】
この構成により、挿入部材が挿入されることで、固定部材の直径が拡張して、挿入孔の内周に圧力を付与できる。
【００３９】
本考案の第５の考案に係る壁材固定装置では、第４の考案に加えて、内部空間に挿入部材が挿入されることで、内部空間が押し広げられて固定部材の外周が拡張し、拡張した固定部材の外周が、挿入孔の内周に圧力を付与する。
【００４０】
この構成により、固定部材が挿入孔に固定され、挿入部材と繋がる壁材が壁面に固定される。
【００４１】
本考案の第６の考案に係る壁材固定装置では、第５の考案に加えて、内部空間に挿入された挿入部材は、挿入孔に密着した固定部材からの内圧を受けて、内部空間において固定される。
【００４２】
この構成により、挿入部材も固定部材に固定されて、壁材を壁面に固定できる。
【００４３】
本考案の第７の考案に係る壁材固定装置では、第１から第６のいずれかの考案に加えて、挿入部材は、ビス、ねじおよび釘の少なくとも一つである。
【００４４】
この構成により、熟練作業を必要としない。
【００４５】
本考案の第８の考案に係る壁材固定装置では、第３から第７のいずれかの考案に加えて、挿入部材が内部空間に挿入されて、固定部材の外周が拡張する場合での拡張度合は、
第１領域  ＞  第２領域  ＞  第ｎ領域
である。
【００４６】
この構成により、次第に拡張が大きくなって、固定力が高まる。
【００４７】
本考案の第９の考案に係る壁材固定装置では、第３から第８のいずれかの考案に加えて、第１領域において、固定部材は、その外周に挿入孔内部に食い込み可能な突起を備える。
【００４８】
この構成により、固定部材の挿入孔における固定力が更に高まる。
【００４９】
本考案の第１０の考案に係る壁材固定装置では、第３から第９のいずれかの考案に加えて、第２領域〜第ｎ領域の少なくとも一部において、固定部材は、その外周において挿入孔の内周に密着可能な弾力性のある外周材を備える。
【００５０】
この構成により、拡張した固定部材の外周において、外周材が挿入孔と固定部材との隙間を埋めることができる。
【００５１】
本考案の第１１の考案に係る壁材固定装置では、第１０の考案に加えて、挿入孔の内周に密着した外周材は、挿入孔への水分の浸入を防止可能である。
【００５２】
この構成により、壁面への腐食が防止できる。
【００５３】
本考案の第１２の考案に係る壁材固定装置では、第１から第１１のいずれかの考案に加えて、挿入孔の入り口をふさぐ蓋を更に備える。
【００５４】
この構成により、水分の浸入を確実に防止できる。
【００５５】
本考案の第１３の考案に係る壁材固定装置では、第１から第１２のいずれかの考案に加えて、挿入部材は、尖った先端を有し、内部空間に挿入される際に、先端が固定部材の先端から突き抜けて、壁面に固定される。
【００５６】
この構成により、固定力が更に高まる。
本考案の第１４の考案に係る壁材固定装置では、第１から第１３のいずれかの考案に加えて、挿入孔の奥と固定部材との間に、挿入部材によっては再可能であって、接着剤を収容する接着剤カプセルを、更に備える。
【００５７】
この構成により、固定効果が更に高まる。
【００５８】
以下、図面を参照しながら、本考案の実施の形態を説明する。
【００５９】
（実施の形態１）
【００６０】
（全体概要）
まず、実施の形態１における壁材固定装置の概要について説明する。
【００６１】
図１は、本考案の実施の形態１における建造物の外壁の模式図である。図１は、例えば、集合住宅やビルなどの外壁であって、タイルなどの複数の部材である壁材が取り付けられている状態を示している。一般的な建造物において良く見られる外壁である。
【００６２】
外壁１は、建造物の外側に見られる一般的な外壁である。壁面２には、多数の壁材３（タイル、セラミックなど）が取り付けられている。図１では、見易さのために、複数の壁材の中の一つに符号「３」をつけている。このような複数の壁材３の中には、経年劣化や特殊要因によって壁面２から浮いたり剥離しかかったりしている壁材４が含まれることもある。図１では、白色で示している壁材４が、浮いたり剥離しかかったりしている壁材である。言い換えると、壁材４は、補修対象の壁材である。図１では、複数の壁材が、浮いたり剥離しかかったりしている。
【００６３】
補修対象の壁材４は、外壁１のどこで発生するかは予測不能であり、ランダムな位置で発生する。このため、補修対象の壁材４を検出するには、全ての壁材３を検査することが必要である。また、図１に示されるように、ランダムな位置に補修対象の壁材４が発生するので、補修作業（壁材４を固定する作業）も煩雑になりがちである。このような状況からも、壁材４を固定する作業は、工具の切り替え回数や作業の切り替え回数が少ないことが要望される。実施の形態１の壁材固定装置は、後述のように工具の切り替え回数や作業の切り替え回数を削減できるので、図１に示される作業の実態に即している。
【００６４】
図２は、本考案の実施の形態１における壁材固定装置の固定作業を示す模式図である。図２では、図１で説明した固定の必要のある壁材４を壁材固定装置１０で固定する状態を示している。
【００６５】
壁材固定装置１０は、壁面２に取り付けられている壁材４の固定を行う。壁材固定装置１０は、固定部材５と挿入部材６と、を備える。固定部材５は、壁材４から壁面１内部に穿たれて到達する挿入孔７に挿入される。また、固定部材５は、変形性を有する素材で形成されている。また、固定部材５は、内部空間５５を有する。
【００６６】
挿入部材６は、固定部材５の内部空間５５に挿入されて固定部材と結合する。ここで、固定部材５の内部空間５５において、前方（先端側）における内径が入り口における内径よりも小さい、もしくは、固定部材５の前方における外周の外形が入り口側における外周の外形よりも大きい。
【００６７】
このような構造により、挿入部材６が内部空間５５に挿入されることで、固定部材５の外周が拡張する。特に、固定部材５の前方における内径が入り口における内径よりも小さいことで、挿入部材６が内部空間５５に挿入される際に、固定部材５の前方がより大きく拡張しやすい。この前方側の拡張が大きいことで、固定部材５は、挿入孔７において、より強く内部空間５５に密着して固定されるようになる。
【００６８】
（内径の変化）
固定部材５の内部空間５５の内径は、上述したように、前方側において後方側よりも小さいことが好適である。図２においても、内部空間５５の前方側（壁面２側）における内径は、後方側における内径よりも小さい。
【００６９】
このように、固定部材５の内部空間５５の内径は、前方側において後方側よりも小さくなるように変化することが好ましい。もちろん、内径は同等でありつつ、外周の直径が、前方側において後方側よりも大きいことでもよい。
【００７０】
また、内部空間５５の内径は、入り口部分を除いて、挿入部材６の直径未満である。このことにより、固定部材５の内部空間５５に挿入部材６が挿入されると、内部空間５５が押し広げられる。この広がりに合わせて、固定部材５の外径も拡張する。固定部材５は、柔軟性のある素材で形成されているからである。
【００７１】
この拡張において、内部空間５５の前方側の内径が、後方側の内径よりも小さいことで、挿入部材６の挿入によって前方側の拡張がより大きくなる。前方側の拡張が大きいと、固定部材５の前方側の挿入孔７への密着度合がより高くなり、固定部材による固定力が大きくなる。
【００７２】
固定力が大きければ、タイルなどの壁材４の壁面２への固定力が高くなる。特に、挿入孔６の前方（奥側）での固定力が高いことで、壁面４により深く入り込んだ場所での固定力が高まる。この結果、壁材固定装置１０は、壁材４を壁面２に、強い力で固定できる。
【００７３】
ここで、内径の違いは、段階的（階段形状で）に内径が変化してもよいし、次第に変化する連続的な内径変化であってもよい。内径が変化する（相違する）構造であればよい。
【００７４】
（内径変化の一例）
図３は、本考案の実施の形態１における壁材固定装置１０の側面図である。図３は、内部空間の内径が段階的に変化する構造を有する壁材固定装置１０を示している。加えて、図３は、壁材固定装置１０が、壁面２と壁材４とを貫通する挿入孔７に取り付けられている状態を示している。
【００７５】
壁面２には、壁材４が取り付けられており、この壁材４が、脱落等の危険性がある場合である。壁材４から壁面２にかけて、孔を穿って、挿入孔７が設けられている。この挿入孔７において壁材固定装置１０が使用される。
【００７６】
図３の壁材固定装置１０は、図２を用いて説明したように、固定部材５、挿入部材６と、を備える。図３では、図示の都合上、挿入部材６が固定部材５の長さとの関係で短く示している。
【００７７】
固定部材５は、先端（壁面２の奥側）から、第１領域５１、第２領域５２、第３領域５３を有している。すなわち、構造の把握において、固定部材５が複数の領域に分かれている。図３では、第１領域５１〜第３領域５３の３つの領域で、固定部材５を把握しているが、２つの領域や４以上の領域として把握されてもよい。
【００７８】
ここで、固定部材５の内部空間５５の内径は、
【００７９】
第１領域５１  ＜  第２領域５２  ＜  第３領域５３
【００８０】
の関係を有している。すなわち、先端側に向かうにつれて、段階的に内部空間５５の内径が小さくなる。内部空間５５の入り口に対応する第３領域５３での内径が最も大きく（挿入部材６の直径と同等がそれより少し小さい程度）、次の領域である第２領域５２で内径が少し小さくなり、先端側である第３領域５３の内径が更に小さい。
【００８１】
図３において、第２領域５２の内径方向に示す線は、第１領域５１の内径方向に示す線の長さよりも長い。同様に、第３領域５３の内径方向に示す線は、第２領域５２および第１領域５１の内径方向に示す線の長さよりも長い。これらの関係から分かるとおり、内径が、上述のような「第１領域５１  ＜  第２領域５２  ＜  第３領域５３」の関係を有している。
【００８２】
この内部空間５５に挿入部材６が挿入される。内部空間５５の内径は、第１領域５１および第２領域５２において、挿入部材６の直径未満である。このため、入り口（第３領域５３）から挿入部材６が内部空間５５に挿入されると、まず、第２領域５２の内部空間５５が押し広げられる。
【００８３】
固定部材５は、柔軟性および変形性のある素材で形成されている。このため、内部空間５５が押し広げられると、固定部材５の外周が拡張する。すなわち、挿入部材６が第２領域５２に到達すると、第２領域５２の内部空間が押し広げられて、対応する外周が拡張する。
【００８４】
更に、挿入部材６の挿入によって、第１領域５１の内部空間も押し広げられる。第１領域５１の内径は、第２領域５２の内径よりも小さいので、挿入部材６によって、第２領域５２の部分よりもより大きく押し広げられる。この結果、第２領域５２よりも第１領域５１においては、固定部材５の外周が拡張する。
【００８５】
図３における内部空間５５の上下に向かって示される矢印は、この内部空間５５および外周の拡張方向を示している。
【００８６】
このように、「第１領域５１  ＜  第２領域５２  ＜  第３領域５３」の内径関係を有することで、挿入部材６が挿入されると、固定部材５の外周は、「第１領域５１  ＞  第２領域５２  ＞  第３領域５３」の関係で拡張する。
【００８７】
拡張した固定部材５は、挿入孔７の内面に圧力を付与する。密着して圧力を付与するからである。この圧力付与により、固定部材５が挿入孔７に固定される。特に、上述のように、「第１領域５１  ＞  第２領域５２  ＞  第３領域５３」の関係で拡張することで、挿入孔７の奥側においてより拡張していることで、固定力も高まる。
【００８８】
このとき、内部空間５５に挿入された挿入部材６には、挿入孔７に密着した固定部材５からの内圧を受ける。挿入部材６は、この内圧を受けて、内部空間５５に固定される。すなわち、挿入部材６が、内部空間５５、固定部材５、挿入孔７の内面に対して圧力を付与するのに対応して、挿入孔７の内面が、固定部材５、内部空間５５、挿入部材６へと、圧力を付与する。
【００８９】
この双方向の圧力が対応していることによって、固定部材５は、挿入孔７内部でしっかりと固定される。なお、固定部材５は、樹脂や塩ビで形成される事が適当である。
【００９０】
次に、追加的要素について説明する。
【００９１】
（挿入部材）
挿入部材６は、ビス、ねじおよび釘の少なくとも一つであることが好適である。もちろん、これらは例示であり、これら以外のものであってもよい。内部空間５５に挿入されて、内部空間５５を拡張しつつ内部で固定されるものであればよい。
【００９２】
特に、作業者の熟練を必要としないように、挿入部材６を挿入する作業が楽である部材であることが好適である。ビスや釘などは、作業時間も短く楽であり、熟練を要しない点で好適である。
【００９３】
（突起）
第１領域５１において、固定部材５は、その外周に突起６１を備えていることも好適である。図３は、この突起６１が備わっている状態を示している。
【００９４】
突起６１は、固定部材５が拡張すると、挿入孔７内部に到達して挿入孔７内部に食い込み可能である。この食い込みによって、突起６１は、固定部材５を、より強く挿入孔７に固定させることができる。
【００９５】
図４は、本考案の実施の形態１における壁材固定装置の側面図である。図３の状態から、挿入部材６が内部空間５５に挿入され終わった状態を示している。図４に示されるように、固定部材５の第１療育５１が拡張して、突起６１が、挿入孔７の内面に食い込むようになっている。
【００９６】
このような状態になることで、固定部材５は、挿入孔７においてしっかりとした固定状態となる。
【００９７】
ここで、突起６１は、先端がとがった形状、尖っていない形状など、様々な形状であってよい。また、素材も様々でよいが、例えば、硬質素材であることで、挿入孔７内面への圧力付与が高まるので、より好適である。
【００９８】
以上のように、固定力の高いことが求められる第１領域５１において、突起６１が設けられることで、固定部材５の固定力が更に高まる。
【００９９】
固定部材５は、側面に単数または複数のスリットを有していることも好適である。
【０１００】
スリットを有していることで、挿入部材６が固定部材５内部に挿入されて結合する際に、スリットによって固定部材５が拡張するからである。この拡張によって、固定部材５が拡張して、挿入孔７の内周に対して圧力を付与する。
【０１０１】
スリットの場合には、固定部材５の素材が硬質であっても容易に拡張できる。加えて、拡張後の形態を維持しやすくなる。この拡張後の形態によって、固定部材５は、挿入孔７内部で強い固定力を維持できる。
【０１０２】
（外周材）
【０１０３】
第２領域５２および第３領域５３の少なくとも一部において、固定部材５は、その外周において外周材６２を備えることも好適である。図３は、この外周材６２を示している。図３では、第２領域５２において外周材６２が備わっている。突起６１の設けられている場所以外の一部において、外周材６２が備わっていればよい。
【０１０４】
この外周材６２は、固定部材５が拡張する場合に、挿入孔７の内周に密着可能である。図５は、この外周材６１が挿入孔７の内周に密着した状態を示している。図５は、本考案の実施の形態１における固定後の壁材固定装置の側面図である。
【０１０５】
図４のように、挿入部材６が内部空間５５に挿入された後で、固定部材５は、拡張する。この拡張において、図３に示される外周材６２が備わっている場合には、外周材６２が、挿入孔７の内周に密着する。
【０１０６】
図５では、固定部材５の上下のみに外周材６２が備わっているように見えるが、実際には、固定部材５の外周を一周するように設けられている。このため、挿入孔７において、固定部材５と挿入孔７の隙間全体に、外周材６２が埋める。
【０１０７】
外周材６２が挿入孔７の内周に密着することで、固定部材５と挿入孔７の間に生じうる隙間が埋められる。この結果、密着した外周材６２は、挿入孔７の奥への水分の浸入を防止可能である。挿入孔７の奥は、壁面２が存在しており、構造体である。
【０１０８】
挿入孔７は、壁材４から穿たれており、この入り口から水分が進入する可能性がある。この挿入孔７の途中において外周材６２が密着して隙間を防ぐことで、水分の奥までの浸入を防止できる。壁面２は、構造体であり、水分の侵入は、耐久性の面から好ましくない。これを防止できるメリットは高い。
【０１０９】
（蓋）
図６は、本考案の実施の形態１における壁材固定装置の側面図である。図６では、挿入孔７の入り口を塞ぐ蓋８が更に備わっている。蓋８は、挿入部材６を内部空間５５に挿入した後で、取り付けられる。
【０１１０】
蓋８は、挿入孔７や挿入部材６が表面上で見えなくなるような美観維持の面でも効果を奏する。加えて、挿入孔７への雨水などの侵入も防止できる。特に、挿入孔７の内周に密着した外周材６２と合わせて、蓋８は、挿入孔７への水分浸入を確実に防止できる。
【０１１１】
このように、蓋８が備わっていることも好適寺鵜。
【０１１２】
（挿入部材の貫通）
挿入部材６が尖った先端を有し、内部空間５５に挿入される際に、先端が固定部材５の先端から突き抜けて、壁面２に固定されることも好適である。
【０１１３】
図７は、本考案の実施の形態１における壁面に固定された壁材固定装置の側面図である。図７では、挿入部材７の先端が、固定部材５の先端を突き抜けて、そのまま壁面２に刺さった状態である。
【０１１４】
この状態となることで、挿入部材６は、壁面２に固定された状態となる。固定されることで、挿入部材６が固定部材５から抜けにくくなり、壁材４の固定後において、固定が緩んだりする可能性が極めて低減する。
【０１１５】
以上のように、挿入部材６が壁面２に固定されることも好適である。
【０１１６】
以上のように、実施の形態１における壁材固定装置１０は、壁面２に取り付けられて剥落などの可能性のある壁材４を、簡単な作業によって再度固定することができる。このとき、作業が簡単であることで熟練を必要とせず、作業後の固定維持能力も高いメリットがある。
【０１１７】
（挿入孔）
挿入孔７は、壁材４の外側から壁面２の内部に到達する孔である。このとき、壁面２の表面から挿入孔７の前方までの長さは、適宜定められれば良い。しかし、固定部材５と挿入部材６の対による固定力を上げるためには、壁面２の表面から前方までの長さは、壁材４の厚みよりも長いことが好ましい。固定部材５の挿入孔７内部の挿入量は、壁材４での挿入量よりも壁面２内部での挿入量が大きいほうが、固定力が当然に向上するからである。
【０１１８】
また、挿入孔７は、入り口および前方において、略同一の内径を有することが適当である。略同一の内径を有することで、固定部材５の挿入が容易になることと、固定部材５の前方の拡張による固定がされやすくなるからである。
【０１１９】
（実施の形態２）
【０１２０】
次に、実施の形態２について説明する。
実施の形態２の壁材固定装置１０は、挿入孔７に挿入された接着剤との組み合わせでの固定を行う。
【０１２１】
図８は、本考案の実施の形態２における壁材固定装置の側面図である。図２を用いて説明した要素について、図示の都合上、省略している符号がある。
【０１２２】
挿入孔７には、予め接着剤カプセル９が挿入されている。図８では、挿入孔７の奥（壁面２側）に接着剤カプセル９が挿入されている。この接着剤カプセル９が挿入されている後で、固定部材５が挿入される。その後に、挿入部材６が内部空間５５に挿入される。
【０１２３】
挿入部材６が固定部材５の内部空間５５に挿入されることによる、固定部材５の拡張による固定は、実施の形態１で説明した通りである。
【０１２４】
図８においては、更に固定部材５の内部空間５５を挿入部材６が突き抜ける。突き抜けた挿入部材６は、接着剤カプセル９を破裂させる。この破裂によって、接着剤カプセル９が収容している接着剤が挿入孔７にあふれ出る。あふれ出た接着剤は、固定部材５や挿入部材６と相まって、挿入孔７内部の要素を、挿入孔７の内周に固定できる。
【０１２５】
これらの固定を通じて、壁材４が、より強力に固定できる。
【０１２６】
挿入部材６が固定部材５の内部空間５５を貫通して、その先に設置されている接着剤カプセル９を破砕することで、拡張する固定部材５と接着剤との相互作用によって、壁材固定装置１０の固定力が更に高まる。
【０１２７】
接着剤カプセル９は、種々の接着剤を収容しているものであればよい。例えば、樹脂硬化剤を収容しており、接着剤カプセル９が破砕されることで、初めて硬化する。このような作用により、挿入部材６の挿入によって、接着剤の固定効果が発揮される。
【０１２８】
次に、壁材固定装置１０を用いた壁材固定方法を説明する。
【０１２９】
（壁材固定方法）
図２などに示される壁材固定装置を用いた、壁材固定方法について、順を追って説明する。
【０１３０】
図９は、本考案の実施の形態２における壁材固定方法の手順を示すフローチャートである。まず、ステップＳＴ１にて、浮いたり剥離しかかったりしている壁材４から、壁面２内部に到達する挿入孔７４を穿孔する。ステップＳＴ１は、穿孔工程である。
【０１３１】
次いで、ステップＳＴ２にて、挿入孔７に固定部材５を挿入する。ステップＳＴ２は、固定部材挿入工程である。固定部材５が挿入孔７に挿入されると、固定部材５は、内部空間７を有しており、ステップＳＴ３にて、挿入部材６がこの内部空間７に挿入される。このとき、挿入部材６が固定部材５に結合する。すなわち、ステップＳＴ３は、結合工程である。
【０１３２】
これらの３つの工程で、作業は完了する。作業としての３つの工程が完了すると、作用効果が生じる。すなわち、ステップＳＴ４にて、固定部材５の前方が拡張して、挿入孔７に圧力を付与して固定部材５が挿入孔７内部で固定される。次いで、ステップＳＴ５にて、壁材４が壁面２に固定される。
【０１３３】
以上の手順で、壁材固定方法は、浮いたり剥離しかかったりしている壁材４を、壁面２に固定できる。特に樹脂や接着剤の注入でも不要なので、作業者の熟練度を必要とせず、作業仕上がりのばらつきも防止できる。
【０１３４】
更に、このとき、図８に示されるように、予め接着剤カプセル９が挿入孔７に設置されていることも好適である。
【０１３５】
以上のように、実施の形態２における壁材固定装置１０は、より強い固定効果を奏する。
【０１３６】
なお、実施の形態１〜２で説明された壁材固定装置は、本考案の趣旨を説明する一例であり、本考案の趣旨を逸脱しない範囲での変形や改造を含む。
【符号の説明】
【０１３７】
１    外壁
２    壁面
３    壁材
４    壁材
５    固定部材
５１    第１領域
５２    第２領域
５３    第３領域
５５    内部空間
６    挿入部材
６１    突起
６２    外周材
７    挿入孔
８    蓋
９    接着剤カプセル
【図１】
0003204637.tif 000003
【図２】
0003204637.tif 000004
【図３】
0003204637.tif 000005
【図４】
0003204637.tif 000006
【図５】
0003204637.tif 000007
【図６】
0003204637.tif 000008
【図７】
0003204637.tif 000009
【図８】
0003204637.tif 000010
【図９】
0003204637.tif 000011